(57)【要約】  【課題】本発明は、ウォームリセット時において装置の立ち上げ完了までの時間が短縮された電子装置を提供することを目的とする。  【解決手段】本発明に係る複写機１は、ウォームリセット時において、ＣＰＵ１０、インターフェイス回路部１１１、画像処理部１１２、圧縮部１１３および通信部１１４の初期化および／またはチェック等は行われるが、メモリ部１２の初期化およびチェックが実施されることなくウォームリセットが完了する構成となっている。なお、リセットプロセスが完了したＣＰＵ１０に指示されたメモリ制御部１１５によりメモリ部１２の一部に対して初期化および／またはチェックが実施されてもよい。【選択図】      図１
2005335328.tif 000002
【特許請求の範囲】
【請求項１】
装置への電力供給が開始されるときにアサート／ネゲートされる第１リセット信号を生成する第１リセット制御部と、装置への電力供給が継続された状態のままアサート／ネゲートされる第２リセット信号を生成する第２リセット制御部と、
そのリセット信号として第１、第２のリセット信号がいずれも入力されており、各リセット信号のアサート／ネゲートに基づいてリセットされる少なくとも１つの第１回路部と、
そのリセット信号として第１リセット信号のみが入力されており、第１リセット信号のアサート／ネゲートのみに基づいてリセットされる少なくとも１つの第２回路部と、を有して成ることを特徴とする電子装置。
【請求項２】
前記第２回路部は、情報記憶手段であるメモリ部を制御するメモリ制御部であることを特徴とする請求項１に記載の電子装置。
【請求項３】
前記メモリ制御部は、前記第２リセット信号のアサート／ネゲートによりリセットが終了した前記第１回路部の制御により前記メモリ部の一部を初期化および／またはチェックすることを特徴とする請求項２に記載の電子装置。
【発明の詳細な説明】
【技術分野】
【０００１】
本発明は、複写機、プリンタ、ファクシミリ等の電子装置に関するものであり、特に、装置各部に電力供給が継続された状態でのリセットであるウォームリセット時におけるその装置の立ち上げ完了までの時間を短縮可能なリセット技術に関するものである。
【背景技術】
【０００２】
従来、電子装置において、その装置各部のリセットには、その目的に応じて、装置各部への電力供給が停止された状態からのリセットであるコールドリセットや装置各部に電力供給が継続された状態のまま装置各部がリセットされるウォームリセット等が利用されている。該ウォームリセットは、装置各部に電力供給が継続された状態のままでのリセットであるため、装置各部へ新たに電力供給を必要とするコールドリセットよりも装置の立ち上げ完了までの時間が短い。ウォームリセットは、例えば、電子装置の省電力化を目的として利用される。ウォームリセットを利用した電子装置の省電力化について以下に説明する。
【０００３】
例えば、電子装置の未操作時間が所定の時間経過した場合等の所定の条件を満たすと、装置各部に電力供給が継続された状態のまま装置各部へのリセット信号がアサートされてウォームリセットが開始し、そのまま該リセット信号がアサートされ続けられた状態（ウォームリセット状態と呼ぶ）となる。この時、装置各部の動作が制限されることで電子装置の省電力化がなされている。その後、その装置の利用要求時には、解除キーなどの押下によりリセット信号がネゲートされ、上記のウォームリセット状態が解除されると、装置全体の制御を行う中央演算処理装置（以下、ＣＰＵ［Central Processing Unit］と呼ぶ）や装置の記憶領域と成るメモリ部等の装置各部の初期化およびチェックが行われ、ウォームリセット後の立ち上げ処理が完了する。
【特許文献１】特開平３−１５９７７４号公報
【発明の開示】
【発明が解決しようとする課題】
【０００４】
確かに、上記構成から成る電子装置であれば、装置の省電力化も可能となり、リセットにウォームリセットを利用することで、装置各部への電力供給を停止させてリセットを行うコールドリセットよりも装置の立ち上げ完了までの時間を短くすることができる。
【０００５】
しかしながら、ウォームリセット時には、メモリ部を制御するメモリ制御部へのリセット信号もアサートされるため、電力供給の開始時にコールドリセットで行われたメモリ部の初期化およびメモリ部の故障を検査するメモリチェックが再度実施される構成となっていた。
【０００６】
そのため、最近、電子装置の多機能化により搭載されるメモリ容量が増加傾向にあるため、メモリチェックに要する時間が増加してしまい、装置の立ち上げ完了までの時間が長くなってしまう。本来、装置の立ち上げ完了までの時間を短縮する目的で選択されていたウォームリセット手段であったが、このようにメモリチェックに時間を要してしまい、装置の使用が可能になるまで長時間待たなければならない。なお、メモリチェック時間の短縮が可能となるメモリチェック手段を有したプリンタが開示・提案されている（例えば、特許文献１を参照）。
【０００７】
本発明は、上記の問題点に鑑み、ウォームリセット時において装置の立ち上げ完了までの時間が短縮された電子装置を提供することを目的とする。
【課題を解決するための手段】
【０００８】
上記目的を達成するために、本発明に係る電子装置は、装置への電力供給が開始されるときにアサート／ネゲートされる第１リセット信号を生成する第１リセット制御部と、装置への電力供給が継続された状態のままアサート／ネゲートされる第２リセット信号を生成する第２リセット制御部と、そのリセット信号として第１、第２のリセット信号がいずれも入力されており、各リセット信号のアサート／ネゲートに基づいてリセットされる少なくとも１つの第１回路部と、そのリセット信号として第１リセット信号のみが入力されており、第１リセット信号のアサート／ネゲートのみに基づいてリセットされる少なくとも１つの第２回路部と、を有する構成とされている。
【０００９】
また、上記構成から成る電子装置の前記第２回路部は、情報記憶手段であるメモリ部を制御するメモリ制御部である構成とするとよい。
【００１０】
また、上記構成から成る電子装置の前記メモリ制御部は、前記第２リセット信号のアサート／ネゲートによりリセットが終了した前記第１回路部の制御により前記メモリ部の一部を初期化および／またはチェックする構成とするとよい。
【発明の効果】
【００１１】
上記したように、本発明に係る電子装置であれば、装置の省電力化とともに、ウォームリセット時にメモリ部の初期化およびチェックが削減されているため、ウォームリセット時の装置の立ち上げ完了までの時間を短縮することが可能となる。
【発明を実施するための最良の形態】
【００１２】
以下では、本発明を複写機に適用した場合を例に挙げて説明を行う。本発明は、ウォームリセット時におけるリセット方法に特徴を有しており、本発明の実施形態について図を参照して説明を行う。
【００１３】
図１は、本発明に係る複写機のウォームリセットの方法を説明するための要部構成の一例を示すブロック図である。図１に示すように、本実施形態の複写機１は、装置全体の動作を制御するＣＰＵ１０と、ある特定用途向けの回路が配置された特定用途向け集積回路１１（以下、ＡＳＩＣ[Application Specific Integrated Circuit]１１と呼ぶ）と、各種制御プログラム等が格納されたＲＯＭ［Read Only Memory］やワーク領域として用いられるＲＡＭ［Random Access Memory］等から成るメモリ部１２と、電力供給が停止された複写機１の各部に電力供給が開始された時にＣＰＵ１０へ指示信号を送出するコールドリセット指示部１３と、ウォームリセット操作およびウォームリセット状態切替操作を受け付けるウォームリセットキー１５と、ウォームリセットの制御を行うウォームリセット指示部１４と、を有して成る。
【００１４】
ＣＰＵ１０は、装置全体の動作を制御するほか、コールドリセット指示部１３から指示信号が入力されると装置各部のリセットの制御に関する処理を行う。
【００１５】
ＡＳＩＣ１１は、ＣＰＵ１０とのインターフェイスとなるインターフェイス回路部１１１（略称、Ｉ／Ｆ回路部）と、画像データの画像処理を行う画像処理部１１２と、画像データの圧縮処理を行う圧縮部１１３と、装置外部とのインターフェイスとなる通信部１１４と、メモリ部１２の制御を行うメモリ制御部１１５と、を有して成る。
【００１６】
ウォームリセット指示部１４は、通常時にウォームリセットキー１５が短押しされた場合には、ウォームリセット操作の命令と判断し、ウォームリセット信号をアサートし、所定時間後にネゲートする（すなわち、リセット動作を指示するトリガパルスの入力を行う）。
【００１７】
また、ウォームリセット指示部１４は、通常時にウォームリセットキー１５が長押しされた場合、装置外部のパーソナルコンピュータ等からウォームリセット状態への移行要求を受信した場合または装置の未操作時間が所定の時間経過した場合等、所定の条件が満たされた場合には、ウォームリセット状態切替操作の命令と判断し、ウォームリセット信号をアサートし続ける。
【００１８】
また、ウォームリセット指示部１４は、ウォームリセット状態時にウォームリセットキー１５が操作された（長押し、短押し）場合や装置外部のパーソナルコンピュータ等からウォームリセット状態の解除要求を受信した場合には、ウォームリセット状態切替操作の命令と判断し、ウォームリセット信号をネゲートする。
【００１９】
次に、本実施形態の複写機１のウォームリセット状態移行時におけるウォームリセット方法について以下に説明する。図２は、本実施形態の複写機１のウォームリセット状態移行時におけるウォームリセットの動作の一例を説明するフローチャート図である。
【００２０】
本実施形態の複写機１では、図１と図２に示すように、ステップＳ２−１で、通常時にウォームリセットキー１５が長押しされた場合、装置外部のパーソナルコンピュータ等からウォームリセット状態の解除要求を受信した場合または装置の未操作時間が所定の時間経過した等、所定の条件が満たされた場合には、ウォームリセット指示部１４によりウォームリセット状態切替操作の命令（すなわち、ウォームリセット状態への移行命令）と判断される。
【００２１】
続いて、ステップＳ２−２で、ウォームリセット指示部１４からＣＰＵ１０、インターフェイス回路部１１１、画像処理部１１２、圧縮部１１３および通信部１１４へのウォームリセット信号がアサートされると、ウォームリセットが開始し、ウォームリセット状態切替操作をウォームリセット指示部１４が受けるまでウォームリセット信号がアサートされ続けられたウォームリセット状態となる。この時、ウォームリセット信号がアサートされ続けられることによって装置各部の動作が制限されることで複写機１の省電力化がなされている。
【００２２】
次に、ステップＳ２−３で、複写機１の利用要求時に、ウォームリセットキー１５が操作された場合や装置外部のパーソナルコンピュータ等からウォームリセット状態の解除要求を受信した場合には、ウォームリセット指示部１４はウォームリセット状態切替操作の命令（すなわち、ウォームリセット状態の解除命令）と判断する。
【００２３】
ステップＳ２−４で、ウォームリセット指示部１４からＣＰＵ１０、インターフェイス回路部１１１、画像処理部１１２、圧縮部１１３および通信部１１４へのウォームリセット信号がネゲートされると、ＣＰＵ１０、インターフェイス回路部１１１、画像処理部１１２、圧縮部１１３および通信部１１４の初期化および／またはチェック等が行われる。一方、メモリ制御部１１５は、後述のように、ＣＰＵ１０から入力されるコールドリセット信号に基づいてコールドリセットがされる構成となっているが、ウォームリセット指示部１４からのウォームリセット信号が入力されず、ウォームリセットがされない構成となっている。よって、ウォームリセット時には、メモリ制御部１１５によるメモリ部１２の初期化制御および／またはチェック制御は、実施されない。その後、ウォームリセットが完了し、複写機１は通常状態となり利用される。なお、リセットプロセスが完了したＣＰＵ１０に指示されたメモリ制御部１１５によりメモリ部１２の一部に対して初期化および／またはチェックが実施されてもよい。
【００２４】
また、上記では、複写機１のウォームリセット状態移行時におけるウォームリセット方法を説明したが、省電力化を目的としたウォームリセット状態に移行せずにウォームリセットを行う場合には、図１に示すように、ウォームリセットキー１５を短押しすると、ウォームリセット指示部１４からＣＰＵ１０、インターフェイス回路部１１１、画像処理部１１２、圧縮部１１３および通信部１１４へのウォームリセット信号がアサートされ、所定時間後にネゲートされる。そして、ＣＰＵ１０、インターフェイス回路部１１１、画像処理部１１２、圧縮部１１３および通信部１１４は、初期化および／またはチェック等が行われる。このように、メモリ部１２の初期化およびチェックが実施されることなくウォームリセットが完了し、複写機１は通常状態となる。なお、リセットプロセスが完了したＣＰＵ１０に指示されたメモリ制御部１１５によりメモリ部１２の一部に対して初期化および／またはチェックが実施されてもよい。
【００２５】
また、装置各部への電力供給が停止された状態からのリセットであるコールドリセット時には、複写機１の各部へ電力供給が開始されると、コールドリセット指示部１３からＣＰＵ１０へコールドリセット指示信号が送出される。そして、ＣＰＵ１０から装置各部へのコールドリセット信号がアサートされ、直ちに装置各部がリセットされる。この時、メモリ制御部１１５によりメモリ部１２の初期化およびチェックが実施される。
【００２６】
以上で説明したように、本実施形態の複写機１は、ウォームリセット時にメモリ部１２の初期化およびチェックが削減されているため、装置の立ち上げ完了までの時間を短縮することが可能となる。
【産業上の利用可能性】
【００２７】
本発明は、複写機の他にも、プリンタやファクシミリなどの電子装置全般に広く適用が可能であり、ウォームリセット時における装置の立ち上げ完了までの時間の削減に有用な技術である。
【図面の簡単な説明】
【００２８】
【図１】は、本発明に係る複写機のウォームリセットの方法を説明するための要部構成の一例を示すブロック図である。
【図２】は、本実施形態の複写機のウォームリセット状態移行時におけるウォームリセットの動作の一例を説明するフローチャート図である。
【符号の説明】
【００２９】
１    複写機
１０    中央演算処理装置（ＣＰＵ）
１１    特定用途向け集積回路（ＡＳＩＣ）
１１１    インターフェイス回路部
１１２    画像処理部
１１３    圧縮部
１１４    通信部
１１５    メモリ制御部
１２    メモリ部
１３    コールドリセット指示部
１４    ウォームリセット指示部
１５    ウォームリセットキー
【図１】
2005335328.tif 000003
【図２】
2005335328.tif 000004